Podtech/llm-jp-corpus-v4-ja_patent huggingface dataset:
【手続補正書】
【提出日】平成24年2月6日(2012.2.6)
【手続補正１】
【補正対象書類名】特許請求の範囲
【補正対象項目名】全文
【補正方法】変更
【補正の内容】
【特許請求の範囲】
【請求項１】
内燃機関と、ステータ支持体（５）を有する電気機械（２）と、変速機を収容するための変速機ハウジング（３）と、車両の電気機械（２）を収容するためのハイブリッドハウジング（４）と、前記内燃機関と前記電気機械（２）との間に配置されたクラッチとを備えているハイブリッド動力伝達装置において、
前記ステータ支持体（５）が前記ハイブリッドハウジング（４）と前記変速機ハウジング（３）を保持するための固定部材と一体に形成されていることと、前記固定部材として半径方向外側にあるフランジ付きカラー（６）が前記ステータ支持体（５）に成形されていることと、前記フランジ付きカラー（６）が多数の切欠き（８）を有することと、クラッチ操作部のリリース突棒または押圧棒が前記切欠き（８）の一つを通過していることを特徴とするハイブリッド動力伝達装置。
【請求項２】
前記フランジ付きカラー（６）が外周にわたって分配配置された多数の軸方向貫通穴（７）を有することを特徴とする請求項１に記載の電気機械。
【請求項３】
前記フランジ付きカラー（６）の形状がそれぞれ、前記変速機ハウジング（３）とハイブリッドハウジング（４）の軸方向側の輪郭に適合していることを特徴とする請求項１または２に記載の電気機械。
【請求項４】
前記ステータ支持体（５）が軸方向において前記変速機ハウジング（３）とハイブリッドハウジング（４）との間に挟持されていることを特徴とする請求項３に記載の電気機械。
【請求項５】
前記ステータ支持体（５）が輸送用安全装置に連結可能であることを特徴とする請求項１〜４のいずれか一項に記載の電気機械。
【請求項６】
前記ステータ支持体（５）が前記電気機械（２）の冷却系の少なくとも１つの統合された冷却通路（１１）を有することを特徴とする請求項１〜５のいずれか一項に記載の電気機械。
【請求項７】
前記ステータ支持体（５）の少なくとも１つの中空収容部（１５）が冷却系のエア抜きのためのエア抜き部を備えていることを特徴とする請求項６に記載の電気機械。
【請求項８】
前記ステータ支持体（５）がその外周領域に、冷却通路接続部および／または電源接続部および／または温度センサ端子（２０）を備えていることを特徴とする請求項１〜７のいずれか一項に記載の電気機械。
【請求項９】
前記ステータ支持体（５）がロータ位置センサを備えていることを特徴とする請求項１〜８のいずれか一項に記載の電気機械。
【請求項１０】
前記車両は、商用車であることを特徴とする請求項１〜９のいずれかに記載の電気機械。
【手続補正書】
【提出日】平成24年5月16日(2012.5.16)
【手続補正１】
【補正対象書類名】特許請求の範囲
【補正対象項目名】全文
【補正方法】変更
【補正の内容】
【特許請求の範囲】
【請求項１】
リソソーム蓄積障害の治療に使用するための、Ｈｓｐ７０またはその機能的断片もしくは機能的変異体。
【請求項２】
前記Ｈｓｐ７０またはその機能的断片もしくは機能的変異体が、野生型Ｈｓｐ７０タンパク質に対して１００％の相同性を有する、
請求項１に記載のＨｓｐ７０またはその機能的断片もしくは機能的変異体。
【請求項３】
前記Ｈｓｐ７０またはその機能的断片もしくは機能的変異体が、野生型タンパク質に対して、９９．９〜９５％の相同性、例えば、９５〜９０％の相同性、例えば、９０〜８５％の相同性、例えば、８５〜８０％の相同性、例えば、８０〜７５％の相同性、例えば、７５〜６０％の相同性を有する、
請求項１に記載のＨｓｐ７０またはその機能的断片もしくは機能的変異体。
【請求項４】
前記Ｈｓｐ７０またはその機能的断片もしくは機能的変異体が、Ｈｓｐ７０である、
請求項１に記載のＨｓｐ７０またはその機能的断片もしくは機能的変異体。
【請求項５】
前記Ｈｓｐ７０が、完全長Ｈｓｐ７０である、
請求項４に記載のＨｓｐ７０またはその機能的断片もしくは機能的変異体。
【請求項６】
前記Ｈｓｐ７０、または前記Ｈｓｐ７０の機能的断片もしくは機能的変異体が、Ｈｓｐ７０のＡＴＰアーゼドメインのすべてまたは一部を含む、
請求項１に記載のＨｓｐ７０またはその機能的断片もしくは機能的変異体。
【請求項７】
前記Ｈｓｐ７０の機能的断片または機能的変異体が、前記Ｈｓｐ７０のＡＴＰアーゼドメインのアミノ酸位置９０にトリプトファンを含む、
請求項１に記載のＨｓｐ７０またはその機能的断片もしくは機能的変異体。
【請求項８】
前記リソソーム蓄積障害が、ニーマンピック病、ファーバー病、クラッベ病、ファブリー病、ゴーシェ病、シアリドーシス、異染性白質ジストロフィー、およびサポシン欠損症からなる群から選択される、
請求項１に記載のＨｓｐ７０またはその機能的断片もしくは機能的変異体。
【請求項９】
前記リソソーム蓄積障害が、ニーマンピック病Ａ型またはＢ型である、
請求項１に記載のＨｓｐ７０またはその機能的断片もしくは機能的変異体。
【請求項１０】
前記リソソーム蓄積症が、疾患の病理に関与する欠陥酵素の残存酵素活性を有するとして特徴付けられる、
請求項１に記載のＨｓｐ７０またはその機能的断片もしくは機能的変異体。
【請求項１１】
前記残存酵素活性が、０．１％〜５０％の範囲、例えば、０．１〜１％、例えば、１〜２％、例えば、２〜３％、例えば、３〜４％、例えば、４〜５％、例えば、５〜６％、例えば、６〜７％、例えば、７〜８％、例えば、８〜９％、例えば、９〜１０％、例えば、１０〜１１％、例えば、１１〜１２％、例えば、１２〜１３％、例えば、１３〜１４％、例えば、１４〜１５％、例えば、１５〜２０％、例えば、２０〜２５％、例えば、２５〜３０％、例えば、３０〜３５％、例えば、３５〜４０％、例えば、４０〜４５％、例えば、４５〜５０％の範囲の残存酵素活性である、
請求項１０に記載のＨｓｐ７０またはその機能的断片もしくは機能的変異体。
【請求項１２】
酵素の酵素活性を調節するための方法であって、前記酵素が、ＢＭＰ（ビス（モノアシルグリセロ）リン酸）と相互作用し、前記方法が、
（ｉ）請求項１〜１１のいずれか一項に記載の前記Ｈｓｐ７０またはその機能的断片もしくは機能的変異体を投与するステップと、
（ｉｉ）ＢＭＰとＨｓｐ７０またはその機能的断片もしくは機能的変異体との相互作用を可能にするステップと、
（ｉｉｉ）ＢＭＰと相互作用する酵素の酵素活性を調節するステップと、を含む、方法。
【請求項１３】
ＢＭＰがサポシンと相互作用する、
請求項１２に記載の方法。
【請求項１４】
前記酵素が、スフィンゴミエリナーゼ、酸性スフィンゴミエリナーゼ（ａＳＭａｓｅ）、酸性セラミダーゼ、β−ガラクトシルセラミダーゼ、α−ガラクトシダーゼ、β−ガラクトシダーゼ、グルコシルセラミダーゼ、シアリダーゼ、およびアリールスルファターゼからなる群から選択される、
請求項１２に記載の方法。
【請求項１５】
前記酵素活性の調節が、前記酵素活性の増加である、
請求項１２に記載の方法。
【請求項１６】
リソソーム蓄積障害の治療に、またはリソソーム蓄積障害の薬剤として使用するための、Ｈｓｐ７０またはその機能的断片もしくは機能的変異体を含む、
医薬組成物。
【請求項１７】
請求項１〜１１のいずれか一項に記載の、前記Ｈｓｐ７０またはその機能的断片もしくは機能的変異体を含む、
医薬組成物。
【請求項１８】
ＢＭＰ（ビス（モノアシルグリセロ）リン酸）との相互作用が可能である、
請求項１に記載のＨｓｐ７０またはその機能的断片もしくは機能的変異体。
【請求項１９】
請求項１乃至１１のいずれか１項に記載の使用のための、Ｈｓｐ７０またはその機能的断片。
【請求項２０】
請求項１、請求項３、請求項６乃至１１のいずれか１項に記載の使用のための、Ｈｓｐ７０の機能的断片。
【請求項２１】
請求項１、請求項３、請求項６乃至１１のいずれか１項に記載の使用のための、Ｈｓｐ７０の機能的変異体。
【手続補正書】
【提出日】平成24年6月13日(2012.6.13)
【手続補正１】
【補正対象書類名】明細書
【補正対象項目名】０１９９
【補正方法】変更
【補正の内容】
【０１９９】
結果
図９〜１０で観察されるように、活性クリーム（０．５％ ｗ／ｗ体腔体液＜０．２２μｍ）の塗布後２８日目に、シワの深さが１７．８％、シワの幅が５．７％、及びシワの容量が２３．３％の低減が観察された。プラセボについて、容量はより低く、且つ深さ及び幅は有意でなかった。容量の低減は有意であったが、それは活性クリームのものと比較して２倍以上少なかった。
【手続補正２】
【補正対象書類名】特許請求の範囲
【補正対象項目名】全文
【補正方法】変更
【補正の内容】
【特許請求の範囲】
【請求項１】
単離ヒトデ体液又はその抽出物を含んでなるスキンケア組成物。
【請求項２】
局所的に許容される担体をさらに含んでなる、請求項１のスキンケア組成物。
【請求項３】
前記ヒトデが、Ａｓｔｅｒｉａ ｖｕｌｇａｒｉｓである、請求項１又は２に記載のスキンケア組成物。
【請求項４】
対象における皮膚疾患又は障害を予防又は低減するための、請求項１〜３のいずれか１項に記載のスキンケア組成物。
【請求項５】
前記皮膚疾患又は障害が、皮膚老化兆候である、請求項４に記載のスキンケア組成物。
【請求項６】
前記疾患又は障害が、外傷、傷跡、又は皮膚線条である、請求項４に記載のスキンケア組成物。
【請求項７】
前記ヒトデ体液又はその抽出物に、分子量が５０ｋＤａ未満の分子が実質的に存在しない、請求項１〜６のいずれか１項に記載のスキンケア組成物。
【請求項８】
前記ヒトデ体液又はその抽出物に、分子量が５ｋＤａ超の分子が実質的に存在しない、請求項１〜６のいずれか１項に記載のスキンケア組成物。
【請求項９】
前記ヒトデ体液又はその抽出物に、分子量が５０ｋＤａ超及び５ｋＤａ未満の分子が実質的に存在しない、請求項１〜６のいずれか１項に記載のスキンケア組成物。
【請求項１０】
前記ヒトデ体液又はその抽出物が、組成物の０．０１％ｗ／ｗ〜５％ｗ／ｗの濃度で存在する、請求項１〜９のいずれか１項に記載のスキンケア組成物。
【請求項１１】
前記ヒトデ体液又はその抽出物が、ＴＧＦ−β１を含んでなる、請求項１〜１０のいずれか１項に記載のスキンケア組成物。
【請求項１２】
スキンケア組成物の製造のための、単離ヒトデ体液又はその抽出物の使用。
【請求項１３】
対象における皮膚老化兆候を予防又は低減するための、単離ヒトデ体液又は抽出物の使用。
【請求項１４】
前記使用が、（ａ）細胞移動に関与する１又は複数の遺伝子の発現の刺激、（ｂ）表皮細胞移動の向上、（ｃ）コラーゲン繊維厚みの増大、（ｄ）コラーゲン繊維数の増大、（ｅ）角質層のケラチン化の低減、（ｆ）ケラチノサイト増殖の増加、（ｇ）ケラチノサイト最終分化の増加、（ｈ）表皮厚みの増加、（ｉ）グリコサミノグリカン（ＧＡＧ）発現の増大、（ｊ）表皮における有糸分裂細胞濃度の増加、（ｋ）表皮細胞層数の増加、（ｌ）コラーゲンIII、コラーゲンIV及びコラーゲンVIIの少なくとも１つの発現の増加、（ｍ）目尻のシワ深さの低減、（ｎ）皮膚弾力性の増大、（ｏ）口シワの低減、（ｐ）皮膚堅さの増大、（ｑ）細胞コロニー再形成（recolonization）の増大、及び（ｒ）皮膚水分の増加、のうちの１又は複数をもたらす、請求項１２又は１３に記載の使用。
【請求項１５】
前記細胞移動に関与する１又は複数の遺伝子が、スモールプロテインリッチタンパク質（ＳＰＲＲ）遺伝子である、請求項１４の使用。
【請求項１６】
前記スモールプロテインリッチタンパク質がＳＰＲＲ２Ａである、請求項１５に記載の使用。
【請求項１７】
前記使用が、コラーゲンIII、コラーゲンIV、及びコラーゲンVIIの少なくとも１つの発現増加をもたらす、請求項１４に記載の使用。
【請求項１８】
目尻のシワ深さ及び／又は幅の低減をもたらす、請求項１４に記載の使用。
【請求項１９】
口シワの低減をもたらす、請求項１４に記載の使用。
【請求項２０】
皮膚堅さの増大をもたらす、請求項１４に記載の使用。
【請求項２１】
皮膚弾力性の増大をもたらす、請求項１４に記載の使用。
【請求項２２】
皮膚水分の増加をもたらす、請求項１４に記載の使用。
【請求項２３】
皮膚細胞コロニー再形成の増大をもたらす、請求項１４に記載の使用。
【請求項２４】
前記単離ヒトデ体液又はその抽出物に、分子量が５０ｋＤ未満の分子が実質的に存在しない、請求項１２〜２３のいずれか１項に記載の使用。
【請求項２５】
前記ヒトデ体液又はその抽出物に、分子量が５ｋＤａ超の分子が実質的に存在しない、請求項１２〜２３のいずれか１項に記載の使用。
【請求項２６】
前記ヒトデ体液又はその抽出物に、分子量が５０ｋＤａ超及び５ｋＤａ未満の分子が実質的に存在しない、請求項１２〜２３のいずれか１項に記載の使用。
【請求項２７】
前記ヒトデ体液又はその抽出物が、ＴＧＦ−β１を含んでなる、請求項１２〜２６のいずれか１項に記載の使用。
【請求項２８】
前記ヒトデ体液又はその抽出物が、組成物の０．０１％ｗ／ｗ〜５％ｗ／ｗの濃度で存在する、請求項１２〜２７のいずれか１項に記載の使用。
【手続補正書】
【提出日】平成24年6月7日(2012.6.7)
【手続補正１】
【補正対象書類名】特許請求の範囲
【補正対象項目名】請求項２４
【補正方法】変更
【補正の内容】
【請求項２４】
前記再使用可能なシードを前記チャックから取外すステップをさらに備える、請求項２１に記載の方法。
【手続補正書】
【提出日】平成24年5月16日(2012.5.16)
【手続補正１】
【補正対象書類名】特許請求の範囲
【補正対象項目名】全文
【補正方法】変更
【補正の内容】
【特許請求の範囲】
【請求項１】
抗炎症、鎮痛又は解熱治療に用いるための経口投与組成物であって：
１つ以上の非ステロイド性抗炎症性薬物（ＮＳＡＩＤｓ）と、
１つ以上の降圧剤と
を有することを特徴とする経口投与組成物。
【請求項２】
前記１つ以上の降圧剤が非利尿剤を含むことを特徴とする請求項１に記載の経口投与組成物。
【請求項３】
前記１つ以上の降圧剤が利尿剤を含むことを特徴とする請求項１に記載の経口投与組成物。
【請求項４】
前記１つ以上のＮＳＡＩＤｓが非選択的なＮＳＡＩＤを含むことを特徴とする請求項１に記載の経口投与組成物。
【請求項５】
前記１つ以上のＮＳＡＩＤｓがＣＯＸ−２の阻害に特異的なＮＳＡＩＤを含むことを特徴とする請求項１に記載の経口投与組成物。
【請求項６】
前記１つ以上の降圧剤がカルシウムチャネルブロッカーである請求項５に記載の経口投与組成物。
【請求項７】
複数の投与量が長期にわたり被験体に提供される１つ以上の非ステロイド性抗炎症性薬物（ＮＳＡＩＤｓ）と、
複数の投与量が所定の期間にわたり前記被験体に提供される１つ以上の非利尿性降圧剤と、
を有し、
前記１つ以上の非利尿性降圧剤投与量が、前記１つ以上のＮＳＡＩＤｓの心血管系の副作用を阻止又は低下させるのに十分であることを特徴とする経口投与組成物。
【請求項８】
前記１つ以上のＮＳＡＩＤｓが、非選択的なＮＳＡＩＤであることを特徴とする請求項７に記載の方法。
【請求項９】
前記１つ以上のＮＳＡＩＤｓが、ＣＯＸ−２の阻害に特異的なＮＳＡＩＤを含むことを特徴とする請求項７に記載の方法。
【請求項１０】
前記１つ以上の降圧剤がカルシウムチャネルブロッカーである請求項９に記載の経口投与組成物。
【手続補正書】
【提出日】平成23年12月13日(2011.12.13)
【手続補正１】
【補正対象書類名】特許請求の範囲
【補正対象項目名】全文
【補正方法】変更
【補正の内容】
【特許請求の範囲】
【請求項１】
（Ｅ）−Ｎ−｛３−［１−（８−フルオロ−１１Ｈ−１０−オキサ−１−アザ−ジベンゾ［ａ，ｄ］シクロヘプテン−５−イリデン）−プロピル］−フェニル｝−メタンスルホンアミドである化合物、またはその薬学的に許容され得る塩。
【請求項２】
（Ｅ）−Ｎ−｛３−［１−（８−フルオロ−１１Ｈ−１０−オキサ−１−アザ−ジベンゾ［ａ，ｄ］シクロヘプテン−５−イリデン）−プロピル］−フェニル｝−メタンスルホンアミドである、請求項１に記載の化合物。
【請求項３】
請求項１または２のいずれかに記載の化合物または塩を有効成分とする、治療剤。
【請求項４】
請求項１または２のいずれかに記載の化合物または塩を有効成分とする、慢性関節リウマチ、変形性関節症、リウマチ熱、喘息、アレルギー性鼻炎、全身性エリテマトーデス、慢性閉塞性肺疾患、クローン病、炎症性腸疾患、または潰瘍性大腸炎の治療剤。
【請求項５】
慢性関節リウマチの処置のための、請求項４に記載の治療剤。
【請求項６】
１種以上の薬学的に許容され得るキャリア、賦形剤、または希釈剤と組み合わせて、請求項１または２のいずれかに記載の化合物または塩を含む医薬組成物。
【請求項７】
１種以上の薬学的に許容され得るキャリア、賦形剤、または希釈剤と組み合わせて、請求項１または２のいずれかに記載の化合物または塩を含む、慢性関節リウマチの処置のための医薬組成物。
【手続補正書】
【提出日】平成24年3月2日(2012.3.2)
【手続補正１】
【補正対象書類名】特許請求の範囲
【補正対象項目名】全文
【補正方法】変更
【補正の内容】
【特許請求の範囲】
【請求項１】
対象に投与するためのワクチン組成物であって、
抗原とカップリングした複数の粒子を含み、その際、各粒子は予め定めたアスペクト比で作製され、ワクチン組成物はこの予め定めたアスペクト比と相関する免疫原性を有する、ワクチン粒子組成物。
【請求項２】
粒子がマイクロメートルサイズの粒子であり、その際、免疫原性が予め定めたアスペクト比と正の相関を示す、請求項１に記載のワクチン組成物。
【請求項３】
粒子がナノメートルサイズの粒子であり、その際、免疫原性が予め定めたアスペクト比と負の相関を示す、請求項１に記載のワクチン組成物。
【請求項４】
予め定めたアスペクト比が約１：１である、請求項１に記載のワクチン組成物。
【請求項５】
予め定めたアスペクト比が少なくとも約３：１である、請求項１に記載のワクチン組成物。
【請求項６】
予め定めたアスペクト比が少なくとも約１０：１である、請求項１に記載のワクチン組成物。
【請求項７】
粒子がさらに免疫刺激作用物とカップリングしている、請求項１に記載のワクチン組成物。
【請求項８】
少なくとも１種類の免疫刺激作用物および抗原が粒子に非分解性リンカーによりカップリングしている、請求項７に記載のワクチン組成物。
【請求項９】
少なくとも１種類の免疫刺激作用物および抗原が粒子に分解性リンカーによりカップリングしている、請求項７に記載のワクチン組成物。
【請求項１０】
免疫刺激作用物が抗原から物理的に分離されている、請求項７に記載のワクチン組成物。
【請求項１１】
粒子が種々の量の抗原および免疫刺激作用物を持続放出するように構築されている、請求項７に記載のワクチン組成物。
【請求項１２】
粒子が種々の量の抗原を持続放出するように構築されている、請求項１に記載のワクチン組成物。
【請求項１３】
粒子が予め定めた速度で、および／または予め定めた環境条件に応答して分解するように構築されている、請求項１に記載のワクチン組成物。
【請求項１４】
粒子が１回量のワクチン組成物中に初回抗原刺激能および追加抗原刺激能の両方を備えるように構築されている、請求項１に記載のワクチン組成物。
【請求項１５】
対象に投与する免疫刺激作用物の免疫原性を低下させる方法であって、
免疫刺激作用物を対象に投与する前に、免疫刺激作用物を非分解性リンカーにより粒子にカップリングさせることを含む方法。
【請求項１６】
複数の実質的に同じサイズおよび形状の粒子；その際、粒子はカチオン性ＰＬＧＡ組成物を含む；ならびに
それらの粒子の表面に吸着した抗原
を含む、ワクチン組成物。
【請求項１７】
抗原がＨＡタンパク質である、請求項１６に記載のワクチン組成物。
【請求項１８】
実質的に、複数の粒子の各粒子が約４：１のアスペクト比を有する、請求項１６に記載のワクチン組成物。
【請求項１９】
実質的に、複数の粒子の各粒子が約２００ナノメートル未満の第１寸法および約２００ナノメートルより大きい第２寸法を有する、請求項１６に記載のワクチン組成物。
【請求項２０】
実質的に、複数の粒子の各粒子が約８０ナノメートルの第１寸法および約２５０ナノメートルより大きい第２寸法を有する、請求項１６に記載のワクチン組成物。
【手続補正書】
【提出日】平成24年4月17日(2012.4.17)
【手続補正１】
【補正対象書類名】特許請求の範囲
【補正対象項目名】全文
【補正方法】変更
【補正の内容】
【特許請求の範囲】
【請求項１】
事前に計量された量のドープを細長い多孔性ウエブの両方の面に同時に提供するための垂直方向または垂直からのずれが１０°以下である方向を持つ上部スロット面および下部スロット面をそれぞれが有する２つのスロットを含む両面型含浸装置［１０］（ただし、両方の面上の前記量は同一であるか、または同一からのずれが５％以下である）と、前記両面含浸装置を通る前記細長い多孔性ウエブの下向きの輸送を提供する輸送手段、ならびにその後の相反転ステーション［１１］（ただし、前記下向きの輸送は、垂直方向または垂直からのずれが１０°以下である方向を持つ）と、凝析ステーション［１２］と、洗浄ステーションとを含む、イオン透過性ウエブ強化セパレータを製造するための装置であって、前記相反転ステーション［１１］により、前記ドープの相反転が提供され、前記凝析ステーション［１２］により、得られた相反転ドープからの凝析および溶媒の洗浄が提供され、前記両面含浸装置［１０］と前記相反転ステーション［１１］との間にエアーギャップがあり、各含浸装置の下部面間の距離が各含浸装置の上部面間の距離より大きい、装置。
【請求項２】
前記細長い多孔性ウエブは細長い多孔性織物である、請求項１に記載の装置。
【請求項３】
下部面と上部面の間の片寄りは１００μｍ以上である、請求項１または２に記載の装置。
【請求項４】
（ｉ）２つの最も外側の表面を含む細長い多孔性ウエブを提供する工程；
（ｉｉ）前記細長い多孔性ウエブを、前記細長い多孔性ウエブに対して平行である、上部スロット面および下部スロット面（ただし、前記面は垂直方向または垂直からのずれが１０°以下である方向を持つ）をそれぞれが有する２つのスロットを含む２つの含浸ヘッド［６］および［６’］の間において下側に輸送し、これにより、少なくとも１つの膜ポリマーと、そのための少なくとも１つの溶媒とを含むドープの計量された量を前記細長い多孔性ウエブの両側の表面に同時に提供する工程（ただし、両側の表面上の前記量は同一であるかまたは同一からのずれが５％以下である）；
（ｉｉｉ）それにより、前記細長い多孔性ウエブに前記ドープを完全に含浸し、等しい厚さまたは等しい厚さからのずれが５％以下である厚さで、かつ前記下部スロット面の１つと、それに最も近い前記細長い多孔性ウエブの表面との間の隙間に依存しない厚さのドープ層を、前記細長い多孔性ウエブの前記最も外側の表面のそれぞれの表面に提供する工程；
（ｉｖ）前記細長い多孔性ウエブに関連する前記ドープを、少なくとも１つの非溶媒とともに相反転（ただし、前記ドープ層の前記相反転は前記ウエブのそれぞれの表面において対称的である）に供し、それにより膜を形成する工程；および、
（ｖ）前記少なくとも１つの膜ポリマーのための前記少なくとも１つの溶媒の残渣を前記膜から除き、それによりイオン透過性ウエブ強化セパレータを製造する工程
を含むプロセスにおいて、前記ドープは、少なくとも２．５の含浸温度での１００ｓ−１の剪断での粘度に対する１ｓ−１の剪断での粘度の比率を有することを特徴とするプロセス。
【請求項５】
前記工程（ｉｖ）および工程（ｖ）が同時に行われる、請求項４に記載のプロセス。
【手続補正書】
【提出日】平成24年6月26日(2012.6.26)
【手続補正１】
【補正対象書類名】特許請求の範囲
【補正対象項目名】全文
【補正方法】変更
【補正の内容】
【特許請求の範囲】
【請求項１】
造粒機であって、
溶融材料を受け取って該溶融材料の液滴を噴射するロータリーアトマイザーを備え、該ロータリーアトマイザーは、
溶融材料を受け入れる回転ウェルであって、底部及び該底部の周りの周縁から延びる周壁を備え、当該周壁は、上部と共に上領域及び下領域を備え、該周壁の上部が、上部内縁及び該上部内縁から水平線よりも下に０度〜６０度の角度で延びるリップ領域を有し、前記上部内縁まで延びる前記周壁の上領域が、実質的に垂直である、回転ウェル、
を有する、造粒機。
【請求項２】
前記周壁の前記リップ領域は、前記底部の前記周縁から離間している、請求項１に記載の造粒機。
【請求項３】
前記底部は平面であり、該底部及び前記周壁は、実質的に直角を成して実質的に垂直の壁を提供する、請求項１に記載の造粒機。
【請求項４】
前記周壁の前記下領域は、前記ウェルの前記底部に対して７５度〜１０５度の角度で傾斜している、請求項１に記載の造粒機。
【請求項５】
溶融材料を造粒する方法であって、
回転するロータリーアトマイザーのウェル内に溶融材料のプールを形成するステップであって、前記ウェルは、底部及び該ウェルの前記底部の周りの周縁から延びる周壁を備え、該周壁は、上部内縁及び該上部内縁から水平線よりも下に０度〜６０度の角度で傾斜するリップ領域を有する、形成するステップと、
前記周壁は、上領域及び下領域を備え、前記上部内縁まで延びる前記周壁の前記上領域が実質的に垂直であり、
前記リップ領域から前記溶融材料の液滴を噴射するように所定の速度で前記ロータリーアトマイザーを回転させるステップと、
前記溶融材料を細粒として凝固させるステップと、
を含む、
溶融材料を造粒する方法。
【請求項６】
飛翔中に前記液滴の大部分を凝固させるステップと、凝固した前記液滴をコレクターへ向けるステップとをさらに含む、請求項５に記載の方法。
【請求項７】
前記プールに加えられる前記溶融材料は、前記周壁を上って進み、前記ウェル内での滞留時間後に前記周壁の前記上部内縁に到達した後で前記アトマイザーから噴射される、請求項５に記載の方法。
【請求項８】
ロータリーアトマイザーであって、
溶融材料を受け入れるウェルであって、底部及び該底部の周りの周縁から延びる周壁を備え、当該周壁は、上部と共に上領域及び下領域を備え、該周壁の上部が、上部内縁及び該上部内縁から水平線よりも下に０度〜６０度の角度で延びるリップ領域を有する、ウェルを備え
前記上部内縁まで延びる前記周壁の上領域が、実質的に垂直である、ロータリーアトマイザー。
【請求項９】
前記周壁の前記リップ領域は、前記底部の前記周縁から離間している、請求項８に記載のロータリーアトマイザー。
【請求項１０】
前記周壁の前記下領域は、前記ウェルの前記底部に対して７５度〜１０５度の角度で傾斜している、請求項８に記載のロータリーアトマイザー。
【請求項１１】
溶融材料を噴霧する方法であって、
回転するロータリーアトマイザーのウェル内に溶融材料のプールを形成するステップであって、前記ウェルは、底部及び該ウェルの前記底部の周りの周縁から延びる周壁を備え、該周壁は、上部内縁及び該上部内縁から水平線よりも下に０度〜６０度の角度で傾斜するリップ領域を有する、形成するステップと、
前記周壁は、上領域及び下領域を備え、前記上部内縁まで延びる前記周壁の前記上領域が実質的に垂直であり、
前記リップ領域から前記溶融材料の液滴を噴射するように所定の速度で前記ロータリーアトマイザーを回転させるステップであって、前記溶融材料は、前記ウェル内での滞留時間を有する、回転させるステップと、
を含む、溶融材料を噴霧する方法。
【手続補正書】
【提出日】平成24年6月4日(2012.6.4)
【手続補正１】
【補正対象書類名】特許請求の範囲
【補正対象項目名】全文
【補正方法】変更
【補正の内容】
【特許請求の範囲】
【請求項１】
インフレータブル物品に特に使用し得る気密且つパンク防止多層エラストマーラミネートであって、少なくとも3つの層を備えており(phrは各組成物における(ゴム)エラストマー100質量部当たりの質量部を意味する): 
−第1気密層として、少なくとも50phrのジエンエラストマーを含む第1エラストマー組成物;
−第2パンク防止層として、少なくとも50phrの飽和熱可塑性スチレン(TPSと略記する)エラストマー及び200phrを超える増量剤オイルを含む第2セルフシーリングエラストマー組成物; 
−上の2つの層の間に位置決めされる接着剤界面相又は第3層として、少なくとも30phrの不飽和TPSエラストマーを含む第3組成物
を含む、前記ラミネート。
【請求項２】
第1組成物のジエンエラストマーが、ポリブタジエン、合成ポリイソプレン、天然ゴム、ブタジエンコポリマー、イソプレンコポリマー及びこれらのエラストマーのブレンドによって形成される群より選ばれる、請求項1に記載のラミネート。
【請求項３】
第1組成物のジエンエラストマーが、ブチルゴムである、請求項2に記載のラミネート。
【請求項４】
第2組成物の飽和TPSエラストマーが、スチレン/エチレン/ブチレン(SEB)、スチレン/エチレン/プロピレン(SEP)、スチレン/エチレン/エチレン/プロピレン(SEEP)、スチレン/エチレン/ブチレン/スチレン(SEBS)、スチレン/エチレン/プロピレン/スチレン(SEPS)及びスチレン/エチレン/エチレン/プロピレン/スチレン(SEEPS)コポリマー、及びこれらのコポリマーのブレンドによって形成される群より選ばれる、請求項1〜3のいずれか1項に記載のラミネート。
【請求項５】
飽和TPSエラストマーが、SEBSコポリマー、SEPSコポリマー及びこれらのコポリマーのブレンドによって形成される群より選ばれる、請求項4に記載のラミネート。
【請求項６】
第3組成物の不飽和TPSエラストマーが、スチレン/ブタジエン(SB)、スチレン/イソプレン(SI)、スチレン/ブタジエン/ブチレン(SBB)、スチレン/ブタジエン/イソプレン(SBI)、スチレン/ブタジエン/スチレン(SBS)、スチレン/ブタジエン/ブチレン/スチレン(SBBS)、スチレン/イソプレン/スチレン(SIS)及びスチレン/ブタジエン/イソプレン/スチレン(SBIS)ブロックコポリマー及びこれらのコポリマーのブレンドによって形成される群より選ばれる、請求項1〜5のいずれか1項に記載のラミネート。
【請求項７】
第2組成物の飽和TPSエラストマーの含量が、70phrより大きく、好ましくは80から100phrまでの範囲にある、請求項1〜6のいずれか1項に記載のラミネート。
【請求項８】
第3組成物の不飽和TPSエラストマーの含量が、少なくとも50phrに等しく、好ましくは70phrより大きい、請求項1〜7のいずれか1項に記載のラミネート。
【請求項９】
第2組成物の増量剤オイルが、ポリオレフィンオイル、パラフィン系オイル、ナフテン系オイル、芳香族オイル、鉱油及びこれらのオイルの混合物によって形成される群より選ばれる、請求項1〜8のいずれか1項に記載のラミネート。
【請求項１０】
第2組成物の増量剤オイルが、ポリブテンオイル、パラフィン系オイル及びこれらのオイルの混合物によって形成される群より選ばれる、請求項9に記載のラミネート。
【請求項１１】
第2組成物の増量剤オイルの含量が、200と900phrの間にある、請求項1〜10のいずれか1項に記載のラミネート。
【請求項１２】
請求の範囲1〜11のいずれか1項に記載の気密且つパンク防止のラミネートを備えるインフレータブル物品。
【手続補正書】
【提出日】平成24年6月4日(2012.6.4)
【手続補正１】
【補正対象書類名】特許請求の範囲
【補正対象項目名】全文
【補正方法】変更
【補正の内容】
【特許請求の範囲】
【請求項１】
インフレータブル物品においてパンク防止層として特に使用し得るセルフシーリング熱可塑性エラストマー組成物であって、少なくとも以下の成分(phrはゴム100質量部当たりの質量部を意味する): 
- 少なくとも30phrの飽和熱可塑性(TPS)エラストマー;
- 多くても70phrの不飽和TPSエラストマー; 及び
- 200phrを超える前記エラストマーのためのオイル増量剤
を含む、前記組成物。
【請求項２】
飽和TPSエラストマーの量が少なくとも50phrであり、不飽和TPSエラストマーの量が多くても50phrである、請求項1に記載の組成物。
【請求項３】
飽和TPSエラストマーが、スチレン/エチレン/ブチレン(SEB)、スチレン/エチレン/プロピレン(SEP)、スチレン/エチレン-エチレン/プロピレン(SEEP)、スチレン/エチレン-ブチレン/スチレン(SEBS)、スチレン/エチレン-プロピレン/スチレン(SEPS)、スチレン/エチレン-エチレン-プロピレン/スチレン(SEEPS)コポリマー及びこれらのコポリマーのブレンドによって形成される群より選ばれる、請求項1又は2に記載の組成物。
【請求項４】
不飽和TPSエラストマーが、スチレン/ブタジエン(SB)、スチレン/イソプレン(SI)、スチレン/ブタジエン/ブチレン(SBB)、スチレン/ブタジエン/イソプレン(SBI)、スチレン/ブタジエン/スチレン(SBS)、スチレン/ブタジエン/ブチレン/スチレン(SBBS)、スチレン/イソプレン/スチレン(SIS)、スチレン/ブタジエン/イソプレン/スチレン(SBIS)ブロックコポリマー及びこれらのコポリマーのブレンドによって形成される群より選ばれる、請求項1〜3のいずれか1項に記載の組成物。
【請求項５】
飽和TPSエラストマー及び不飽和TPSエラストマーの数平均分子量が、各々50 000と500 000g/モルの間にある、請求項1〜4のいずれか1項に記載の組成物。
【請求項６】
増量剤オイルが、ポリオレフィンオイル、パラフィン系オイル、ナフテン系オイル、芳香族オイル、鉱油及びこれらのオイルの混合物によって形成される群より選ばれる、請求項1〜5のいずれか1項に記載の組成物。
【請求項７】
オイル増量剤が、ポリブテンオイル、パラフィン系オイル及びこれらのオイルの混合物によって形成される群より選ばれる、請求項6に記載の組成物。
【請求項８】
増量剤オイルの含量が、200と900phrの間にある、請求項1〜7のいずれか1項に記載の組成物。
【請求項９】
飽和TPSエラストマーの量が少なくとも60phrに等しく、好ましくは70から95phrまでの範囲にあり、不飽和TPSエラストマーの量が多くても40phrに等しく、好ましくは5から30phrの範囲にある請求項1〜8のいずれか1項に記載の組成物。
【請求項１０】
インフレータブル物品において特に使用し得るパンク防止気密多層ラミネートであって、少なくとも:
- 請求項1〜9のいずれか1項に記載のセルフシーリングエラストマー組成物を含む第1パンク防止層; 及び
- 第2気密層
を含む、前記ラミネート。
【請求項１１】
請求項1〜10のいずれか1項に記載のセルフシーリング組成物又はパンク防止気密ラミネートを含むインフレータブル物品。
【手続補正書】
【提出日】平成24年3月28日(2012.3.28)
【手続補正１】
【補正対象書類名】特許請求の範囲
【補正対象項目名】全文
【補正方法】変更
【補正の内容】
【特許請求の範囲】
【請求項１】
第１の表面を含む基板；
前記基板の前記第１の表面の上方に配置された加熱素子であり、当該加熱素子と前記基板の前記第１の表面との間にキャビティが存在する、加熱素子；
前記加熱素子と前記キャビティとの間に配置された誘電体層であり、前記キャビティが横方向で当該誘電体層によって境界される、誘電体層；及び
前記加熱素子の上方に配置されたノズルを含むチャンバであり、当該チャンバが液体を受け入れる形状にされ、前記キャビティが前記液体から隔離される、チャンバ；
を有する液体イジェクタ。
【請求項２】
前記基板の前記第１の表面に配置された電子回路であり、前記加熱素子と電気的に通信する電子回路、
を更に有する請求項１に記載のイジェクタ。
【請求項３】
液体イジェクタを作動させる方法であって：
第１の表面を含む基板；
前記基板の前記第１の表面の上方に配置された加熱素子であり、当該加熱素子と前記基板の前記第１の表面との間にキャビティが存在する、加熱素子；
前記加熱素子と前記キャビティとの間に配置された誘電体層であり、前記キャビティが横方向で当該誘電体層によって境界される、誘電体層；及び
前記加熱素子の上方に配置されたノズルを含むチャンバであり、当該チャンバが液体を受け入れる形状にされ、前記キャビティが前記液体から隔離される、チャンバ；
を含む液体イジェクタを用意するステップ；
前記液体イジェクタの前記チャンバ内に液体を導入するステップ；並びに
前記加熱素子上に蒸気泡を形成することによって、前記加熱素子及び前記誘電体層を前記キャビティ内に変形させるステップ；
を有する方法。
【請求項４】
液体イジェクタ用の熱的に分離された加熱素子を形成する方法であって：
第１の表面を含む基板を用意する工程；
前記第１の表面上に犠牲材料層を堆積する工程；
前記犠牲材料層をパターニングする工程；
パターニングされた犠牲材料層上に誘電体層を堆積する工程；
前記誘電体層上に加熱素子を形成する工程；及び
前記パターニングされた犠牲材料層を除去し、前記誘電体層と前記基板の前記第１の表面との間にキャビティを作り出す工程；
を有する方法。
【手続補正書】
【提出日】平成24年6月8日(2012.6.8)
【手続補正１】
【補正対象書類名】特許請求の範囲
【補正対象項目名】全文
【補正方法】変更
【補正の内容】
【特許請求の範囲】
【請求項１】
少なくとも１つの時間値曲線を抽出し、イメージング法の患者用プロトコルを求める方法であって、
（ａ）イメージングシステムを使用して得られた患者の画像化部分のピクセル値の０からＴまでの一連のＭ次元データセットを求めるステップであって、
Ｍ及びＴは整数、０データセットは時間ｔ＝０でのデータセットに対応し、Ｔデータセットは時間ｔ＝Ｔでのデータセットに対応しており、
変数ｘで表される位置でのピクセルは、ｙx＝［ｙx（０） ｙx（１）．．．ｙx（Ｔ−１） ｙx（Ｔ）］として定義される強調プロフィルベクトルを有しており、
位置ｘでのピクセルの強調レベルｙは経時的に、ｙx（ｔ）＝ｙx（０）＋ ｓx（ｔ）＋ηx（ｔ）として定義され、ｙx（０）はピクセルの強調基準レベル、ｓは患者内の流体流れによる信号の変化、ηはノイズ項である、ステップ、
（ｂ）時系列ピクセル値の類似性メトリックを計算することにより、患者の所定数の対象領域に対応する画像化部分の所定数の相関セグメントを計算するステップ、
（ｃ）対象領域の少なくとも１つに対して少なくとも１つの時間値曲線を計算するステップ、及び
（ｄ）イメージングシステムを使用して、少なくとも一部分は少なくとも１つの時間値曲線からのデータに基づいて診断スキャン用のプロトコルを求めるステップを含んでいる、方法。
【請求項２】
Ｍ次元データセットは、Ｍ＝２のとき、二次元データセットである請求項１の方法。
【請求項３】
Ｍ次元のデータセットは、Ｍ＝３のとき、三次元データセットである請求項１の方法。
【請求項４】
セグメントは、Ｋ平均クラスタリングを用いて計算される請求項１の方法。
【請求項５】
Ｋクラスタは、各データ点とＫクラスタ重心との間の距離の平方和を最小にすることによって算出され、Ｋは所定数の相関セグメントに対応する整数である請求項４の方法。
【請求項６】
ピクセル値はＫクラスタの１つに無作為に割り当てられ、各クラスタ重心は、センタリングしてゼロ平均および単位標準偏差に正規化後のクラスタのピクセル値の要素別平均であり、次の式で表される請求項５の方法。
【数３１】
2011525408.tif 000001
【数３２】
2011525408.tif 000002
【数３３】
2011525408.tif 000003
【請求項７】
各クラスタ重心は、次の式（式中、Ｎはクラスタのピクセル数である）を用いて求められる請求項６の方法。
【数３４】
2011525408.tif 000004
【請求項８】
センタリング及び正規化されたピクセル値からＫクラスタ重心Ｙcの各々までの距離は、次の式を用いて求められる請求項７の方法。
【数３５】
2011525408.tif 000005
【請求項９】
センタリング及び正規化されたピクセル値の各々は、重心までの計算距離が最小のクラスタに割り当てられる請求項８の方法。
【請求項１０】
請求項７乃至請求項９の操作は収束まで繰り返され、得られるセグメント化画像は、求められたＫクラスタに対応するＫセグメントを有する請求項９の方法。
【請求項１１】
隣接するピクセルに十分に相関しないピクセルを除去するために、セグメント化画像をフィルタリングすることをさらに含んでいる請求項１０の方法。
【請求項１２】
フィルタリングにおいて、セグメント化画像の各ピクセルは、隣接する８つの全てのピクセルと比較される請求項１１の方法。
【請求項１３】
セグメント化画像を形態学的にオープニングすることをさらに含んでいる請求項１１の方法。
【請求項１４】
セグメント化画像を、コントラストが強調されたボーラスデータセットに重ねて、Ｋセグメントそれぞれの強調プロフィルを計算することをさらに含んでいる請求項１３の方法。
【請求項１５】
計算された少なくとも１つの他の強調プロフィルと比較し、ラベル化された強調プロフィルの特徴のうちの少なくとも１つに基づいて、強調プロフィルの少なくとも１つを患者の対象領域に対応する意味ラベルによって意味的にラベル化するステップをさらに含んでいる請求項１４の方法。
【請求項１６】
セグメント化画像を、コントラストが強調されたボーラスデータセットに重ねて、Ｋセグメントそれぞれの強調プロフィルを計算することをさらに含んでいる請求項１０の方法。
【請求項１７】
計算された少なくとも１つの他の強調プロフィルと比較し、ラベル化された強調プロフィルの特徴のうちの少なくとも１つに基づいて、強調プロフィルの少なくとも１つを患者の対象領域に対応する意味ラベルによって意味的にラベル化するステップをさらに含んでいる請求項１６の方法。
【請求項１８】
少なくとも１つの時間値曲線を抽出し、イメージング法の患者用プロトコルを求めるシステムであって、
（ａ）少なくとも１つのイメージングシステムから出力されたデータを入力する入力システムであって、前記データは、少なくとも１つのイメージングシステムを使用して得られた患者の画像化部分のピクセル値の０からＴまでの一連のＭ次元データセットを含み、
Ｍ及びＴは整数、０データセットは時間ｔ＝０でのデータセットに対応し、Ｔデータセットは時間ｔ＝Ｔでのデータセットに対応しており、
変数ｘで表される位置でのピクセルは、ｙx＝［ｙx（０） ｙx（１）．．．ｙx（Ｔ−１） ｙx（Ｔ）］として定義される強調プロフィルベクトルを有しており、
位置ｘでのピクセルの強調レベルｙは経時的に、ｙx（ｔ）＝ｙx（０）＋ ｓx（ｔ）＋ηx（ｔ）として定義され、ｙx（０）はピクセルの強調基準レベル、ｓは患者内の流体流れによる信号の変化、ηはノイズ項である、入力システムと、
（ｂ）入力システムと通信接続されたプロセッサであって、（ｉ）時系列ピクセル値の類似性メトリックを計算することにより、患者の所定数の対象領域に対応する画像化部分の所定数の相関セグメントを計算し、（ｉｉ）対象領域の少なくとも１つに対する少なくとも１つの時間値曲線を計算するように構成される少なくとも１つのプロセッサと、
（ｃ）少なくとも一部分は少なくとも１つの時間値曲線からのデータに基づいて、少なくとも１つのイメージングシステムを使用して診断スキャン用のプロトコルを求める少なくとも１つのパラメータ生成システムとを具えている、システム。
【請求項１９】
少なくとも１つのプロセッサと通信接続されたるメモリシステムをさらに具えており、メモリシステムは、患者の所定数の対象領域に対応する画像化部分の所定数の相関セグメントを計算する少なくとも１つのプロセッサで実行可能なアルゴリズムを格納している請求項１８のシステム。
【請求項２０】
少なくとも１つのイメージングシステムと通信接続されている請求項１８のシステム。
【請求項２１】
少なくとも１つの注入システムと通信接続されている請求項１８のシステム。
【請求項２２】
少なくとも一部分は、少なくとも１つのイメージングシステムと一体化されている請求項１８のシステム。
【請求項２３】
少なくとも一部分は、少なくとも１つの注入システムと一体化されている請求項１８のシステム。
【手続補正書】
【提出日】平成24年6月21日(2012.6.21)
【手続補正１】
【補正対象書類名】明細書
【補正対象項目名】００４７
【補正方法】変更
【補正の内容】
【００４７】
比較例Ｃ
１．７ＴＭに撚られた１２００ｄの２．０ｄｐｆの連続マルチフィラメント糸の２プライ製品を含む８つの５ポンドのパッケージを使用することを除いて、ＳＡＥ  Ｊ２０Ｒ３で規定された仕様に適合する１９ｍｍの内径を有するＥＰＤＭベースの自動車のヒータ−ホースは、実施例３に記載されたような商業用のホース製造装置で製造された。ホース供給は、ホースの長手方向軸に沿って１０ｍｍのホース当たり３ステッチを製造するように調整した。試験後に編み機の上には何の堆積も確認されず、ホース補強層は全く凹凸又は欠陥を示さなかった。表３は製造されたホースをリストしている。
次に、本発明の好ましい態様を示す。
１  圧力下で流体又はガスを移送するように適応された可撓性ホースであって、前記ホースが中心長手方向軸に沿って軸方向に、かつ半径方向に前記長手方向軸を中心に円周方向に延在し、前記ホースが順番に、
円周の内側コアチューブ表面と、対向する円周の外側コアチューブ表面とを有するコアチューブ（２）であって、第１のエラストマー層を含むコアチューブ（２）と、
円周の内側コア補強表面と、対向する円周の外側コア補強表面とを有する外側コアチューブを囲む補強層（３）と
を含み、
前記補強層（３）が、編み、螺旋巻き又は編組の構造であり、
前記補強層（３）が少なくとも１つの糸（５）から形成され、
前記糸（５）が１０００〜４０００ｄｔｅｘの直線密度を有し、
前記糸（５）が２〜５の糸ストランド（６）から構成され、
前記糸ストランド（６）が１〜５の撚り係数に上撚りされ、
前記糸ストランド（６）が１〜５のスパン糸（７）から構成され、
前記スパン糸（７）が１〜５の撚り係数に上撚りされ、
前記スパン糸（７）が１００ｄｔｅｘ〜１０００ｄｔｅｘの直線密度を含み、
前記スパン糸（７）が、８０〜１５０ｍｍの長さを有するフィラメントを含み、
前記スパン糸（７）が１メートル当たり少なくとも２００の巻回の撚りを含み、
前記スパン糸（７）が、ポリｍ−フェニレンテレフタルアミド、ポリメチレン−１，３−ベンゾビスオキサゾール、ポリオキサジアゾール、ポリスルホンアミド、ポリアリーレンスルフィド、ポリベンズイミダゾール、ポリベンズチアゾール、ポリベンズオキサオール、ポリオキサジアゾール、ポリスルホンアミド、ポリベンズイミダゾール、ポリベンズチアゾール、ポリベンズオキサオール又はそれらの混合物からなる群から選択されたフィラメントを含み、
前記円周の外側コア補強表面上の前記補強層（３）を囲む第２のエラストマー層（４）と
を含む、可撓性ホース。
２  前記補強層（３）が、ポリｍ−フェニレンテレフタルアミド又はポリアリーレンスルフィド又はそれらの混合物を含む、上記１に記載の圧力下で流体又はガスを移送するように適応された可撓性ホース。
３  前記糸（５）、糸ストランド（６）又はスパン糸（７）が仕上げ剤でコーティングされる、上記１に記載の圧力下で流体又はガスを移送するように適応された可撓性ホース。
４  前記エラストマー材料が、水素化ニトリルゴム、シリコーンゴム、フルオロシリコーンゴム、メチルフェニルシリコーンゴム、天然ゴム、ＥＰＤＭ、ＣＰＥ又はアクリルのゴムを含む、上記１に記載の圧力下で流体を移送するように適応された可撓性ホース。
５  ２つ以上の前記補強層（３）を含む、上記１に記載の圧力下で流体又はガスを移送するように適応された可撓性ホース。
６  前記コアチューブ（２）が、フルオロカーボンベースの材料でライニングを施される、上記１に記載の圧力下で流体又はガスを移送するように適応された可撓性ホース。
７  前記補強層（３）が編まれる、上記１に記載の圧力下で流体を移送するように適応された可撓性ホース。
８  前記第１の補強層が１メートル当たり１６０〜６６０のループを有する、上記７に記載の圧力下で流体を移送するように適応された可撓性ホース。
【手続補正２】
【補正対象書類名】特許請求の範囲
【補正対象項目名】全文
【補正方法】変更
【補正の内容】
【特許請求の範囲】
【請求項１】
圧力下で流体又はガスを移送するように適応された可撓性ホースであって、前記ホースが中心長手方向軸に沿って軸方向に、かつ半径方向に前記長手方向軸を中心に円周方向に延在し、前記ホースが順番に、
円周の内側コアチューブ表面と、対向する円周の外側コアチューブ表面とを有するコアチューブ（２）であって、第１のエラストマー層を含むコアチューブ（２）と、
円周の内側コア補強表面と、対向する円周の外側コア補強表面とを有する外側コアチューブを囲む補強層（３）と
を含み、
前記補強層（３）が、編み、螺旋巻き又は編組の構造であり、
前記補強層（３）が少なくとも１つの糸（５）から形成され、
前記糸（５）が１０００〜４０００ｄｔｅｘの直線密度を有し、
前記糸（５）が２〜５の糸ストランド（６）から構成され、
前記糸ストランド（６）が１〜５の撚り係数に上撚りされ、
前記糸ストランド（６）が１〜５のスパン糸（７）から構成され、
前記スパン糸（７）が１〜５の撚り係数に上撚りされ、
前記スパン糸（７）が１００ｄｔｅｘ〜１０００ｄｔｅｘの直線密度を含み、
前記スパン糸（７）が、８０〜１５０ｍｍの長さを有するフィラメントを含み、
前記スパン糸（７）が１メートル当たり少なくとも２００の巻回の撚りを含み、
前記スパン糸（７）が、ポリｍ−フェニレンテレフタルアミド、ポリメチレン−１，３−ベンゾビスオキサゾール、ポリオキサジアゾール、ポリスルホンアミド、ポリアリーレンスルフィド、ポリベンズイミダゾール、ポリベンズチアゾール、ポリベンズオキサオール、ポリオキサジアゾール、ポリスルホンアミド、ポリベンズイミダゾール、ポリベンズチアゾール、ポリベンズオキサオール又はそれらの混合物からなる群から選択されたフィラメントを含み、
前記円周の外側コア補強表面上の前記補強層（３）を囲む第２のエラストマー層（４）と
を含む、可撓性ホース。
【手続補正書】
【提出日】平成24年6月12日(2012.6.12)
【手続補正１】
【補正対象書類名】特許請求の範囲
【補正対象項目名】全文
【補正方法】変更
【補正の内容】
【特許請求の範囲】
【請求項１】
ミニ細胞生産細菌であって、
隔壁形成、二分裂、及び染色体分配の１つ又は複数を調節するミニ細胞生産遺伝子産物をコードする発現可能な遺伝子；および、
エンドヌクレアーゼをコードする発現可能な遺伝子を含み、
前記ミニ細胞生産細菌の染色体が、前記エンドヌクレアーゼの１つ又は複数の認識部位を含む、
ミニ細胞生産細菌。
【請求項２】
前記ミニ細胞生産遺伝子がｆｔｓＺである、請求項１に記載のミニ細胞生産細菌。
【請求項３】
前記ｆｔｓＺが誘導可能なプロモーターに作用可能に連結されている、請求項２に記載のミニ細胞生産細菌。
【請求項４】
前記エンドヌクレアーゼ遺伝子が、前記ミニ細胞生産細菌の染色体上に位置している、請求項１〜３のいずれか一項に記載のミニ細胞生産細菌。
【請求項５】
前記エンドヌクレアーゼが、Ｉ−ＣｅｕＩ、ＰＩ−ＳｃｅＩ、Ｉ−ＣｈｕＩ、Ｉ−ＣｐａＩ、Ｉ−ＳｃｅＩＩＩ、Ｉ−ＣｒｅＩ、Ｉ−ＭｓｏＩ、Ｉ−ＳｃｅＩＩ、Ｉ−ＳｃｅＩＶ、Ｉ−ＣｓｍＩ、Ｉ−ＤｍｏＩ、Ｉ−ＰｏｒＩ、ＰＩ−ＴｌｉＩ、ＰＩ−ＴｌｉＩＩ、及びＰＩ−ＳｃｐＩからなる群から選択される、請求項１〜４のいずれか一項に記載のミニ細胞生産細菌。
【請求項６】
前記エンドヌクレアーゼが、誘導可能なプロモーターの制御下で発現される、請求項１〜５のいずれか一項に記載のミニ細胞生産細菌。
【請求項７】
前記細菌が、カンピロバクター・ジェジュニ、ラクトバチルス種、ナイセリア・ゴノレア、レジュネラ・ニューモフィラ、サルモネラ種、シゲラ種、シュードモナス・エルギノーサ、及び大腸菌からなる群から選択されるグラム陰性細菌である、請求項１〜６のいずれか一項に記載のミニ細胞生産細菌。
【請求項８】
リポ多糖合成に関与する遺伝子産物をコードする遺伝子を含み、
前記遺伝子が、対応する野生型遺伝子と比較して遺伝子組換えされており、かつ
前記遺伝子が、対応する野生型細菌のリピドＡ分子と比較して変更されたリピドＡ分子を前記細菌に産生させる、
請求項７に記載のミニ細胞生産細菌。
【請求項９】
前記変更されたリピドＡ分子が、対応する野生型細菌のリピドＡ分子と比較して、前記リポ多糖分子の前記リピドＡ部分へのミリスチン酸の付加に関して欠損している、請求項８に記載のミニ細胞生産細菌。
【請求項１０】
外膜を含み、前記外膜がミリスチン酸部分を有していないリピドＡ分子を含む真正細菌ミニ細胞。
【請求項１１】
前記外膜が、対応する野生型細菌に由来する真正細菌ミニ細胞の外膜と比較して、哺乳動物宿主において炎症促進性免疫応答の低減をその結果としてもたらす組成物を有する、請求項１０に記載の真正細菌ミニ細胞。
【請求項１２】
１つ又は複数の生物学的活性化合物を更に含む、請求項１１に記載の真正細菌ミニ細胞。
【請求項１３】
前記生物学的活性化合物の少なくとも１つが、放射性同位元素、ポリペプチド、核酸、及び低分子からなる群から選択される、請求項１２に記載の真正細菌ミニ細胞。
【請求項１４】
細胞表面局在化標的化部分を更に含む、請求項１３に記載の真正細菌ミニ細胞。
【請求項１５】
前記細胞表面局在化標的化部分が、融合タンパク質であり、前記融合タンパク質が、真正細菌外膜アンカー型ドメインと抗体断片との融合体である、請求項１４に記載の真正細菌ミニ細胞。
【請求項１６】
前記細胞表面局在化標的化部分が、融合タンパク質であり、前記融合タンパク質が、抗体又は抗体断片である、請求項１４に記載の真正細菌ミニ細胞。